(57)【要約】【課題】プール中でウォーキングやエアロビクスなどをする場合に、足に着用して水中で滑ることを防止し、長時間にわたって水中で着用しても足がふやけてくることが抑えられ、仮にふやけても外傷を負うことが抑制でき、さらに水が浸み込むことで重くなって高齢者や女性などの足に負担をかけることがなく、さらに使用後に速やかに乾燥することができる、プールにおけるウォーキングやエアロビクス時に足に履く用具を提供する。【解決手段】合成繊維からなるソックス１の足裏部３の編み地２の外面５に耐塩素系殺菌剤のゴムまたはシリコン樹脂からなる多数個の弾性凸条リング６を互いに離間形成して有するプール内で着用する滑り止めつきソックス。【選択図】　　　　図１
0003096856.tif 000002
【実用新案登録請求の範囲】
【請求項１】
合成繊維からなるソックス１の足裏部３の編み地２の外面５に耐塩素系殺菌剤のゴムまたはシリコン樹脂からなる多数個の弾性凸条リング６を互いに離間形成して有することを特徴とするプール内で着用する滑り止めつきソックス。
【請求項２】
耐塩素系殺菌剤のゴムまたはシリコン樹脂からなる多数個の弾性凸条リング６はソックス１の足裏部３の編み地２の外面５にゴム素材またはシリコン樹脂素材をスクリーン印刷により接着形成して加硫処理または加熱処理されてなる弾性凸条リング６であることを特徴とする請求項１に記載のプール内で着用する滑り止めつきソックス。
【請求項３】
多数個の弾性凸条リング６は土踏まず４を除く足裏部３の前後全面に形成されていることを特徴とする請求項１または２に記載のプール内で着用する滑り止めつきソックス。
【考案の詳細な説明】
【０００１】
【考案の属する技術分野】
本考案は、プール中でのウォーキング、特にプール中でのエアロビクスにおいて足に着用する滑り止めつきソックスに関する。
【０００２】
【従来の技術】
従来、水泳のためプールに入るときは通常は素足で入る。ところでプールは水泳や水球などの競技をする場所と限られるものでなく、水中でのウォーキングやエアロビクスなどにも利用される。エアロビクスなどのように全身を使って、しかも、時間をかけて行う運動は、心臓や肺の機能を高め、血管の退化を防ぎ、酸素を体内のすみずみに送ることによって、組織や細胞の働きをより活発にして心肺機能を高め、肥満や成人病の予防に効果がある。特に、プールで水中に身体を入れて行うエアロビクスは、浮力が身体に作用するので長時間にわたって行うことができ、従って、高齢者や身体の弱い人にも負担をかけないので好ましい。
【０００３】
ところで、プール内でウォーキングやエアロビクスを行うため、プールの水中に長時間入っていると、足裏の表皮が膨潤してふやけてくる。さらにプールの底面は塗装仕上げや、タイル仕上げや、ＦＲＰ製のプールのようにＦＲＰ（繊維強化プラスチック）仕上げのように、平滑に仕上げられており、さらに水が潤滑作用をするので非常に滑り易くなって行動しにくい。
【０００４】
そこで、このように足裏の皮膚がふやけて擦過傷を負ったり、あるいは滑ったりすることを防止するために、プール内で長時間にわたりウォーキングやエアロビクスをする場合には、素足では特に滑りやすいので、エアロビクス用のゴム裏部のキャンバス地の運動靴を着用することが多い。
【０００５】
ところで、このような運動靴は比較的高価であり、さらにこのような運動靴を水中で着用すると、プールの水が甲皮のキャンバス地に浸み込んで靴が重くなって機能性に劣ることとなる問題が生じる。また長時間にわたって運動靴を着用しているとゴム裏部の重みが例えば高齢者や女性には負担となることもある。さらに使用後に運動靴のキャンバス地や内部を乾燥するために長時間を要する問題がある（例えば、非特許文献１参照。）。
【０００６】
【非特許文献１】
株式会社タバタ、”水中ウォーキング・アクアビクス用シューズ　アクアグリッド（ＶＳ−１００）”、［ｏｎｌｉｎｅ］、株式会社タバタ、［平成１５年４月２日検索］、インターネット＜ＵＲＬ：ｈｔｔｐ：／／ｗｗｗ．ｔａｂａｔａ．ｊｐ／ｖｉｅｗ／ｖｓ１００／ｖｓ１００．ｈｔｍ＞
【０００７】
【考案が解決しようとする課題】
本考案が解決しようとする課題は、プール中でウォーキングやエアロビクスなどをする場合に、足に着用して水中で滑ることを防止し、長時間にわたって水中で着用しても足がふやけてくることが抑えられ、仮にふやけても外傷を負うことが抑制でき、さらに水が浸み込むことで重くなって高齢者や女性などの足に負担をかけることがなく、さらに使用後に速やかに乾燥することができる、プールにおけるウォーキングやエアロビクス時に足に履く用具を提供することである。
【０００８】
【課題を解決するための手段】
上記の課題を解決するための本考案の手段は、請求項１の考案では、合成繊維からなるソックス１の足裏部３の編み地２の外面５に耐塩素系殺菌剤のゴムまたはシリコン樹脂からなる多数個の弾性凸条リング６を互いに離間形成して有することを特徴とするプール内で着用する滑り止めつきソックスである。
【０００９】
請求項２の考案では、耐塩素系殺菌剤のゴムまたはシリコン樹脂からなる多数個の弾性凸条リング６はソックス１の足裏部３の編み地２の外面５にゴム素材またはシリコン樹脂素材をスクリーン印刷により接着形成して加硫処理または加熱処理されてなる弾性凸条リング６であることを特徴とする請求項１の手段のプール内で着用する滑り止めつきソックスである。
【００１０】
請求項３の考案では、多数個の弾性凸条リング６は土踏まず３を除く足裏部３の前後全面に形成されていることを特徴とする請求項１または２の手段のプール内で着用する滑り止めつきソックスである。
【００１１】
【考案の実施の形態】
本考案の実施の形態を図面を参照して以下に説明する。図１は本考案のプール内で足に着用する滑り止めつきソックスの足裏面を模式的に示す平面図である。さらに、図２は本考案のソックスの側面図である。
【００１２】
本考案のソックス１の本体は慣用の靴下製造機で編まれた通常の形状の合成繊維からなる。ソックス１の編み地２の合成繊維はプール内の殺菌用の塩素系殺菌剤に耐性のある素材からなるものとする。さらにプールの水を吸水して膨潤することで重くなることのない合成繊維の糸から編んだものとする。
【００１３】
上記の合成繊維の編み地２からなるソックス１の足裏部３の土踏まず４の部分を除く爪先側の部分とかかとの部分のそれぞれの外面５にゴムまたはシリコン樹脂からなる多数個の弾性凸条リング６を形成する。
【００１４】
これらの弾性凸条リング６は、例えば外径が直径９ｍｍで内径が直径３ｍｍのリング状で厚さが０．１５ｍｍのゴムまたはシリコン樹脂の弾性層から形成されている。これらの各弾性凸条リング６はそれぞれ隣接する弾性凸条リング６とそれぞれのリング中心を約１０ｍｍ離間して形成されている。ソックス１の片足に形成されている弾性凸条リング６の数は、例えば土踏まず４の前側の爪先側に４６個で、土踏まず４の後側のかかと部に２３個である。この弾性凸条リング６は弾性としたことで摩擦係数が高くなり、プールの底が塗装仕上げや、タイル仕上げや、ＦＲＰ製のものであっても容易に滑ることがない。さらに、これらの弾性凸条リング６は、上記の大きさの凸条に限られるものでなく、適宜の大きさのリングにすることができる。また、形状も必ずしもリングと限られることなく他の形状としても良いことはいうまでもない。
【００１５】
これらの弾性凸条リング６の形成は、例えばソックス１の足裏部３の土踏まず４の部分を除く爪先側である前側部分の編み地２の外面とかかと部である後側部分の編み地のの外面２にラテックスなどのゴム素材またはシリコン樹脂素材をスクリーン印刷の手法により接着形成し、さらにゴム素材の場合は加硫処理し、シリコン樹脂素材の場合は加熱処理してそれぞれゴム層またはシリコン樹脂層の弾性凸条リング６とする。
【００１６】
【考案の効果】
以上説明したとおり、本考案の弾性凸条リングを足裏部に形成したソックスを着用することで、プール内でのウォーキングやエアロビクスを行う際にプール内で滑ることが防止され、また、長時間プール内に入って足がふやけても足に擦過傷などを負うことが予防されるなどの効果があり、さらに本考案のソックスは水中で重くなることなく軽量であり、運動がし易く、さらに使用後の乾燥も短時間でできるなど、本考案は優れた効果を奏するものである。
【図面の簡単な説明】
【図１】本考案の１実施の形態のプール内で足に着用する滑り止めつきソックスの足裏面を模式的に示す平面図である。
【図２】本考案の図１のソックスの側面図である。
【符号の説明】
１　ソックス
２　編み地
３　足裏部
４　土踏まず
５　外面
６　弾性凸条リング
【図１】
0003096856.tif 000003
【図２】
0003096856.tif 000004